(57)【特許請求の範囲】
【請求項１】
送信ビデオ信号をフレーム単位で分割して得られた複数の分割ビデオ信号を得るフレーム分割処理部と、
上記フレーム分割処理部で得られた複数の分割ビデオ信号を、それぞれ、独立した伝送路を介して外部機器に送信するデータ送信部とを備え、
上記データ送信部は、上記分割ビデオ信号を、フレーム毎に、連結すべき他の分割ビデオ信号の存在を示す第１の情報および該連結すべき他の分割ビデオ信号との同期をとるための第２の情報を付加して送信する
送信装置。
【請求項２】
上記第２の情報は、タイムコード情報と、該タイムコード情報が示すタイムコードを持つ複数フレームにおける配列順を示す配列情報とからなる
請求項１に記載の送信装置。
【請求項３】
上記データ送信部は、上記分割ビデオ信号を、所定数のチャネルで、差動信号により、上記伝送路を介して、上記外部機器に送信する
請求項１に記載の送信装置。
【請求項４】
上記データ送信部は、上記フレーム毎の第１の情報および第２の情報を、上記分割ビデオ信号のブランキング期間に挿入して送信する
請求項３に記載の送信装置。
【請求項５】
上記データ送信部は、ＨＤＭＩ規格のデジタルインタフェースを持つ
請求項３に記載の送信装置。
【請求項６】
上記データ送信部として、第１のデータ送信部および第２のデータ送信部を有し、
上記フレーム分割処理部は、上記送信ビデオ信号を２分割して２つの分割ビデオ信号を得る
請求項１に記載の送信装置。
【請求項７】
上記送信ビデオ信号のフォーマットは、４Ｋ×２Ｋ、６０Ｈｚプログレッシブである
請求項６に記載の送信装置。
【請求項８】
上記送信ビデオ信号をフレーム単位で分割して得られた複数の分割ビデオ信号をそれぞれ独立した伝送路で送信することに上記外部機器が対応しているか否かを確認する機能確認部をさらに備える
請求項１に記載の送信装置。
【請求項９】
上記機能確認部は、上記外部機器が対応しているか否かを、上記外部機器から上記伝送路を介して読み出した上記外部機器の能力情報に基づいて確認する
請求項８に記載の送信装置。
【請求項１０】
上記機能確認部は、上記外部機器が対応しているか否かを、上記外部機器との間で上記伝送路を介した通信を行うことで確認する
請求項８に記載の送信装置。
【請求項１１】
送信ビデオ信号をフレーム単位で分割して得られた複数の分割ビデオ信号を得るフレーム分割処理ステップと、
上記フレーム分割処理ステップで得られた複数の分割ビデオ信号を、それぞれ、独立した伝送路を介して外部機器に送信するデータ送信ステップとを備え、
上記データ送信ステップでは、上記分割ビデオ信号を、フレーム毎に、連結すべき他の分割ビデオ信号の存在を示す第１の情報および該連結すべき他の分割ビデオ信号との同期をとるための第２の情報を付加して送信する
送信方法。
【請求項１２】
外部機器から、それぞれ、独立した伝送路を介して、ビデオ信号をフレーム単位で分割して得られた複数の分割ビデオ信号を受信するデータ受信部を備え、
上記分割ビデオ信号には、フレーム毎に、連結すべき他の分割ビデオ信号の存在を示す第１の情報および該連結すべき他の分割ビデオ信号との同期を取るための第２の情報が付加されており、
上記データ受信部で受信された複数の分割ビデオ信号を、上記第１の情報および上記第２の情報に基づいて、フレーム配列して受信ビデオ信号を得るフレーム配列処理部をさらに備える
受信装置。
【請求項１３】
上記第２の情報は、タイムコード情報と、該タイムコード情報が示すタイムコードを持つ複数フレームにおける配列順を示す配列情報とからなる
請求項１２に記載の受信装置。
【請求項１４】
上記データ受信部は、上記外部機器から、上記分割ビデオ信号を、所定数のチャネルで、差動信号により、上記伝送路を介して受信する
請求項１２に記載の受信装置。
【請求項１５】
上記フレーム毎の第１の情報および第２の情報は、上記分割ビデオ信号のブランキング期間に挿入されている
請求項１４に記載の受信装置。
【請求項１６】
上記データ受信部は、ＨＤＭＩ規格のデジタルインタフェースを持つ
請求項１４に記載の受信装置。
【請求項１７】
上記複数の分割ビデオ信号を伝送するための伝送路がそれぞれ接続される複数のポートと、
上記複数のポートのそれぞれに上記複数の分割ビデオ信号を伝送するための伝送路が接続されていないとき、接続修正表示を行う表示制御部とをさらに備える
請求項１２に記載の受信装置。
【請求項１８】
上記データ受信部として、第１のデータ受信部および第２のデータ受信部を有し、
上記第１のデータ受信部が接続される第１のポートと、
上記第２のデータ受信部がスイッチャを介して選択的に接続される複数の第２のポートとをさらに備える
請求項１２に記載の受信装置。
【請求項１９】
外部機器から、それぞれ、独立した伝送路を介して、ビデオ信号をフレーム単位で分割して得られた分割ビデオ信号を受信するデータ受信ステップを備え、
上記分割ビデオ信号には、フレーム毎に、連結すべき他の分割ビデオ信号の存在を示す第１の情報および該連結すべき他の分割ビデオ信号との同期を取るための第２の情報が付加されており、
上記データ受信ステップで受信された複数の分割ビデオ信号を、上記第１の情報および上記第２の情報に基づいて、フレーム配列して受信ビデオ信号を得るフレーム配列処理ステップをさらに備える
受信方法。
【請求項２０】
送信装置および受信装置が伝送路を介して接続されてなる送受信システムであって、
上記送信装置は、
送信ビデオ信号をフレーム単位で分割して得られた複数の分割ビデオ信号を得るフレーム分割処理部と、
上記フレーム分割処理部で得られた複数の分割ビデオ信号を、それぞれ、独立した伝送路を介して上記受信装置に送信するデータ送信部とを備え、
上記データ送信部は、上記分割ビデオ信号を、フレーム毎に、連結すべき他の分割ビデオ信号の存在を示す第１の情報および該連結すべき他の分割ビデオ信号との同期をとるための第２の情報を付加して送信し、
上記受信装置は、
上記送信装置から、それぞれ、上記独立した伝送路を介して分割ビデオ信号を受信するデータ受信部と、
上記データ受信部で受信された複数の分割ビデオ信号を、上記第１の情報および上記第２の情報に基づいて、フレーム配列して受信ビデオ信号を得るフレーム配列処理部とを備える
送受信システム。
【発明の詳細な説明】
【技術分野】
【０００１】
本技術は、送信装置、送信方法、受信装置、受信方法および送受信システムに関し、特に、大きな伝送帯域を必要とする高精細ビデオ信号等の伝送を可能とする送信装置等に関する。
【背景技術】
【０００２】
近年、ＣＥ（Consumer Electronics）機器をつなぐ、デジタルインタフェースとして、ＨＤＭＩ(High Definition Multimedia Interface)が幅広く用いられており、業界でのデファクトスタンダードとなっている。例えば、非特許文献１には、ＨＤＭＩ規格についての記載がある。このＨＤＭＩ規格においては、３データ差動ラインペア（TMDS Channel 0/1/2）を用いて、デジタル信号としてビデオ、オーディオ、コントロールの各信号の伝送を行っている。
【先行技術文献】
【非特許文献】
【０００３】
【非特許文献１】High-Definition Multimedia Interface Specification Version 1.4,June5 2009
【発明の概要】
【発明が解決しようとする課題】
【０００４】
現在、このデジタル信号の伝送速度としてＨＤＭＩ規格上で決められている値は、最大でもおよそ１０．２Ｇｂｐｓとなっている。そのため、４Ｋ２Ｋ（ＱＦＨＤ）、６０Ｈｚプログレッシブ等の高精細ビデオ信号の伝送、あるいは高品質３Ｄ（３ dimension）のビデオ信号の伝送は不可能であった。
【０００５】
本技術の目的は、大きな伝送帯域を必要とする高精細ビデオ信号等の伝送を実現可能とすることにある。
【課題を解決するための手段】
【０００６】
本技術の概念は、
送信ビデオ信号をフレーム単位で分割して複数の分割ビデオ信号を得るフレーム分割処理部と、
上記フレーム分割処理部で得られた複数の分割ビデオ信号を、それぞれ、独立した伝送路を介して外部機器に送信するデータ送信部とを備え、
上記データ送信部は、上記分割ビデオ信号を、フレーム毎に、連結すべき他の分割ビデオ信号の存在を示す第１の情報および該連結すべき他の分割ビデオ信号との同期をとるための第２の情報を付加して送信する
送信装置にある。
【０００７】
本技術において、フレーム分割処理部により、送信ビデオ信号がフレーム単位で分割されて複数の分割ビデオ信号が得られる。そして、データ送信部により、複数の分割ビデオ信号が、それぞれ、独立した伝送路を介して外部機器に送信される。例えば、フレーム分割処理部では、送信ビデオ信号が２分割されて２つの分割ビデオ信号が得られる。そして、これら２つの分割ビデオ信号は、データ送信部により、それぞれ独立した伝送路を介して、外部機器に送信される。例えば、送信ビデオ信号のフォーマットは４Ｋ×２Ｋ、６０Ｈｚプログレッシブであり、２分割されることで４Ｋ×２Ｋ、３０Ｈｚプログレッシブのビデオ信号となる。
【０００８】
データ送信部で送信される分割ビデオ信号には、フレーム毎に、第１の情報および第２の情報が付加される。第１の情報は、連結すべき他の分割ビデオ信号の存在を示す情報である。第２の情報は、連結すべき他の分割ビデオ信号との同期をとるための情報である。これら第１の情報および第２の情報は、外部機器において、複数の分割ビデオ信号をフレーム配列して受信ビデオ信号を得るために使用される。例えば、第２の情報は、タイムコード情報と、このタイムコード情報が示すタイムコードを持つ複数フレームにおける配列順を示す配列情報とからなるものとされる。
【０００９】
このように本技術においては、ビデオ信号がフレーム分割されて複数の分割ビデオ信号とされ、それぞれ、独立した伝送路を介して外部機器に送信される。そのため、一本の伝送路の伝送帯域を超える大きな伝送帯域を必要とする高精細ビデオ信号等の伝送を良好に実現できる。また、本技術においては、データ送信部で送信される分割ビデオ信号には、フレーム毎に、連結すべき他の分割ビデオ信号の存在を示す第１の情報および連結すべき他の分割ビデオ信号との同期をとるための第２の情報が付加されている。そのため、外部機器において、複数の分割ビデオ信号をフレーム配列して受信ビデオ信号を得ることが容易となる。
【００１０】
なお、本技術において、例えば、データ送信部は、分割ビデオ信号を、所定数のチャネルで、差動信号により、伝送路を介して、外部機器に送信する、ものとされる。その場合、例えば、フレーム毎の第１の情報および第２の情報は、分割ビデオ信号のブランキング期間に挿入して送信される。また、その場合、例えば、データ送信部は、ＨＤＭＩ規格のデジタルインタフェースを持つものとされる。
【００１１】
また、本技術において、例えば、送信ビデオ信号をフレーム分割して得られた複数の分割ビデオ信号をそれぞれ独立した伝送路で送信することに外部機器が対応しているか否かを確認する機能確認部をさらに備える、ようにされてもよい。例えば、機能確認部は、外部機器が対応しているか否かを、外部機器から伝送路を介して読み出した外部機器の能力情報に基づいて確認する、ようにされる。また、例えば、機能確認部は、外部機器が対応しているか否かを、外部機器との間で伝送路を介した通信を行うことで確認する、ようにされる。この機能確認部を備えることにより、外部機器が対応していないとき、送信ビデオ信号をフレーム分割して得られた複数の分割ビデオ信号をそれぞれ独立した伝送路で送信することを事前に回避できる。
【００１２】
また、本技術の他の概念は、
外部機器から、それぞれ、独立した伝送路を介して、ビデオ信号をフレーム分割して得られた分割ビデオ信号を受信するデータ受信部を備え、
上記分割ビデオ信号には、フレーム毎に、連結すべき他の分割ビデオ信号の存在を示す第１の情報および該連結すべき他の分割ビデオ信号との同期を取るための第２の情報が付加されており、
上記データ受信部で受信された複数の分割ビデオ信号を、上記第１の情報および上記第２の情報に基づいて、フレーム配列して受信ビデオ信号を得るフレーム配列処理部をさらに備える
受信装置にある。
【００１３】
本技術において、データ受信部により、外部機器から、それぞれ、独立した伝送路を介して、ビデオ信号をフレーム分割して得られた分割ビデオ信号が受信される。分割ビデオ信号には、フレーム毎に、第１の情報および第２の情報が付加されている。第１の情報は、連結すべき他の分割ビデオ信号の存在を示す情報である。第２の情報は、連結すべき他の分割ビデオ信号との同期を取るための情報である。この第２の情報は、例えば、タイムコード情報と、このタイムコード情報が示すタイムコードを持つ複数フレームにおける配列順を示す配列情報とからなるものとされる。
【００１４】
このように本技術においては、外部機器から、ビデオ信号をフレーム分割して得られた分割ビデオ信号が、それぞれ、独立した伝送路を介して受信される。そして、複数の分割ビデオ信号は、各分割ビデオ信号にフレーム毎に付加されている、連結すべき他の分割ビデオ信号の存在を示す第１の情報および連結すべき他の分割ビデオ信号との同期をとるための第２の情報に基づいて、フレーム配列されて受信ビデオ信号が得られる。そのため、一本の伝送路の伝送帯域を超える大きな伝送帯域を必要とする高精細ビデオ信号等を外部機器から良好に受信できる。
【００１５】
なお、本技術において、例えば、データ受信部は、外部機器から、分割ビデオ信号を、所定数のチャネルで、差動信号により、伝送路を介して受信する、ものとされる。その場合、例えば、フレーム毎の第１の情報および第２の情報は、分割ビデオ信号のブランキング期間に挿入して送信されている。また、その場合、例えば、データ受信部は、ＨＤＭＩ規格のデジタルインタフェースを持つものとされる。
【００１６】
また、本技術において、複数の分割ビデオ信号を伝送するための伝送路がそれぞれ接続される複数のポートと、この複数のポートのそれぞれに複数の分割ビデオ信号を伝送するための伝送路が接続されていないとき、接続修正表示を行う表示制御部とをさらに備える、ようにされてもよい。この場合、ユーザは、伝送路の接続が誤っていたとき、接続修正表示に基づいて、その接続修正を行うことが可能となる。
【００１７】
また、本技術において、例えば、複数のデータ受信部として、第１のデータ受信部および第２のデータ受信部を有し、第１のデータ受信部が接続される第１のポートと、第２のデータ受信部がスイッチャを介して選択的に接続される複数の第２のポートとをさらに備える、ようにされてもよい。この場合、第２のデータ受信部に関しては、複数の第２のポートでの受信に兼用されるものであり、回路規模を小さくできる。
【発明の効果】
【００１８】
本技術によれば、大きな伝送帯域を必要とする高精細ビデオ信号等の伝送を容易に実現できる。
【図面の簡単な説明】
【００１９】
【図１】この発明の実施の形態としてのＡＶシステムの構成例を示すブロック図である。
【図２】ＨＤＭＩ・ベンダー・スペシフィック・インフォフレームのパケット（ＶＳＩＦパケット）の構造例を示す図である。
【図３】ソース機器のデータ送信部とシンク機器のデータ受信部の構成例を示す図である。
【図４】ＴＭＤＳ伝送データの構造例を示す図である。
【図５】ＨＤＭＩ（Type Ａ）のピンアサイメントを示す図である。
【図６】ＣＥＣラインでのベンダーコマンドを用いた確認方法の一例を示す図である。
【図７】４個のポートを持つシンク機器の構成例を示すブロック図である。
【図８】シンク機器のディスプレイに表示するメッセージ（接続修正表示）の一例を示す図である。
【図９】シンク機器の制御部の制御フローの一例を示すフローチャートである。
【発明を実施するための形態】
【００２０】
以下、発明を実施するための形態（以下、「実施の形態」とする）について説明する。なお、説明を以下の順序で行う。
１．実施の形態
２．変形例
【００２１】
＜１．実施の形態＞
［ＡＶシステムの構成例］
図１は、実施の形態としてのＡＶ（Audio and Visual）システム１００の構成例を示している。このＡＶシステム１００は、ソース機器１１０とシンク機器１２０とが接続されて構成されている。ソース機器１１０は、例えば、ゲーム機、ディスクプレーヤ、セットトップボックス、デジタルカメラ、携帯電話などのＡＶソースである。シンク機器１２０は、例えば、テレビ受信機、プロジェクタ等である。
【００２２】
ソース機器１１０およびシンク機器１２０は、ＨＤＭＩケーブル２００ａ，２００ｂを介して接続されている。ソース機器１１０には、データ送信部１１２ａ，１１２ｂが接続された、コネクタを構成するレセプタクル１１１ａ，１１１ｂが設けられている。シンク機器１２０には、データ受信部１２２ａ，１２２ｂが接続された、コネクタを構成するレセプタクル１２１ａ，１２１ｂが設けられている。
【００２３】
また、ＨＤＭＩケーブル２００ａの一端にはコネクタを構成するプラグ２０１ａが設けられ、その他端にはコネクタを構成するプラグ２０２ａが設けられている。ＨＤＭＩケーブル２００ａの一端のプラグ２０１ａはソース機器１１０のレセプタクル１１１ａに接続され、このＨＤＭＩケーブル２００ａの他端のプラグ２０２ａはシンク機器１２０のレセプタクル１２１ａに接続されている。
【００２４】
また、ＨＤＭＩケーブル２００ｂの一端にはコネクタを構成するプラグ２０１ｂが設けられ、その他端にはコネクタを構成するプラグ２０２ｂが設けられている。ＨＤＭＩケーブル２００ｂの一端のプラグ２０１ｂはソース機器１１０のレセプタクル１１１ｂに接続され、このＨＤＭＩケーブル２００ｂの他端のプラグ２０２ｂはシンク機器１２０のレセプタクル１２１ｂに接続されている。
【００２５】
ソース機器１１０は、上述したデータ送信部１１２ａ，１１２ｂの他に、制御部１１３と、フレーム分割処理部１１４と、フレームバッファ１１５ａ，１１５ｂと、分周器１１６を有している。制御部１１３は、ソース機器１１０の各部の動作を制御する。フレーム分割処理部１１４は、ビデオ信号（画像データ）、オーディオ信号（音声データ）を、フレーム分割、つまりフレーム単位で分割する。そして、フレーム分割処理部１１４は、奇数フレームからなる第１のビデオ信号およびそれに対応した第１のオーディオ信号と、偶数フレームからなる第２のビデオ信号およびそれに対応した第２のオーディオ信号を得る。
【００２６】
ここで、送信すべきビデオ信号は、一本のＨＤＭＩケーブルの伝送帯域を超える大きな伝送帯域を必要とする高精細ビデオ信号である。この実施の形態において、ビデオ信号のフォーマットは、４Ｋ×２Ｋ，６０Ｈｚプログレッシブである。このビデオ信号がフレーム分割されて得られる第１のビデオ信号、第２のビデオ信号は、４Ｋ×２Ｋ，３０Ｈｚプログレッシブのビデオ信号となる。この第１のビデオ信号、第２のビデオ信号は、それぞれ、一本のＨＤＭＩケーブルの伝送帯域で伝送可能である。
【００２７】
フレームバッファ１１５ａは、フレーム分割処理部１１４で得られた第１のビデオ信号、第１のオーディオ信号を一時的に蓄積する。フレームバッファ１１５ｂは、フレーム分割処理部１１４で得られた第２のビデオ信号、第２のオーディオ信号を一時的に蓄積する。分周器１１６は、分割前のビデオ信号に対応したピクセルクロックを１／２分周してＴＭＤＳクロックを生成し、データ送信部１１２ａ，１１２ｂに供給する。
【００２８】
データ送信部１１２ａ，１１２ｂは、それぞれ、ＨＤＭＩ規格のデジタルインタフェースを持ち、ＨＤＭＩケーブル２００ａ，２００ｂを介して、ビデオ信号およびオーディオ信号をシンク機器１２０に送信する。
【００２９】
データ送信部１１２ａは、フレームバッファ１１５ａで保持されている第１のビデオ信号、第１のオーディオ信号を、ＨＤＭＩ規格のデジタルインタフェースにより、ＨＤＭＩケーブル２００ａを介して、シンク機器１２０に送信する。また、データ送信部１１２ｂは、フレームバッファ１１５ｂで保持されている第２のビデオ信号、第２のオーディオ信号を、ＨＤＭＩ規格のデジタルインタフェースにより、ＨＤＭＩケーブル２００ｂを介して、シンク機器１２０に送信する。
【００３０】
データ送信部１１２ａ，１１２ｂは、それぞれ、分割ビデオ信号としての第１、第２のビデオ信号を、フレーム毎に、連結すべき他の分割ビデオ信号の存在を示す第１の情報、および、当該他の分割ビデオ信号との同期をとるための第２の情報を付加して送信する。第２の情報は、タイムコード情報と、このタイムコード情報が示すタイムコードを持つ複数、ここでは２つのフレームにおける配列順を示す配列情報とからなっている。
【００３１】
データ送信部１１２ａ，１１２ｂは、それぞれ、フレーム毎の第１の情報および第２の情報を、分割ビデオ信号のブランキング期間に挿入して送信する。すなわち、この実施の形態において、データ送信部１１２ａ，１１２ｂは、第１の情報および第２の情報を、ＨＤＭＩ・ベンダー・スペシフィック・インフォフレームを利用して、シンク機器１２０に送信する。
【００３２】
図２は、ＨＤＭＩ・ベンダー・スペシフィック・インフォフレームのパケット（以下、適宜、「ＶＳＩＦパケット」という）の構造例を示している。このパケット構造は、ＣＥＡ８６１規格にて規定されており、詳細説明は省略する。このＶＳＩＦパケットは、パケットヘッダとパケットボディで構成される。図２には、説明を簡単にするため、パケットボディの構造のみを示している。
【００３３】
第５バイト（ＰＢ５）の第７ビットに、第１の情報を構成する「DualLink」が配置される。この１ビット情報が“１”である場合、連結すべき他の分割ビデオ信号の存在を示す。つまり、この１ビット情報を“１”とすることで、受信側に、本分割ビデオ信号と結合すべき他の分割ビデオ信号の存在を認識させ、結合（フレーム配列）処理による受信ビデオ信号の生成を要求できる。
【００３４】
第６バイト（ＰＢ６）から第９バイト（ＰＢ９）にタイムコード情報が配置される。ここで、第６バイト、第７バイト、第８バイトおよび第９バイトは、それぞれ、タイムコードの「フレーム」、「秒」、「分」および「時」を表す。また、第１０バイト（ＰＢ１０）の第７ビットに、配列情報としての「Even/Odd」が配置される。この１ビット情報が“０”である場合、当該フレームは偶数（Even）フレームであることを示す。一方、この１ビット情報が“１”である場合、当該フレームは奇数（Odd）フレームであることを示す。
【００３５】
シンク機器は、ＨＤＭＩケーブル２００ａ，２００ｂで送られてくる各分割ビデオ信号について、それに付加されているＶＳＩＦパケットの「DualLink」の情報により、結合処理による受信ビデオ信号の生成が要求されていることを把握できる。また、シンク機器は、各分割ビデオ信号について、ＶＳＩＦパケットの第６バイトから第９バイトのタイムコード情報から同じタイムコードを持つ２つのフレームを順次認識できる。そして、シンク機器は、「Even/Odd」の１ビット情報で示す配列順により配列して、合成された受信ビデオ信号を生成できる。
【００３６】
図１に戻って、シンク機器１２０は、上述したデータ受信部１２２ａ，１２２ｂの他に、制御部１２３と、フレームバッファ１２４ａ，１２４ｂと、フレーム配列処理部１２５と、逓倍器１２６を有している。制御部１２３は、シンク機器１２０の各部の動作を制御する。データ受信部１２２ａ，１２２ｂは、それぞれ、ＨＤＭＩ規格のデジタルインタフェースを持ち、ソース機器１１０から、ＨＤＭＩケーブル２００ａ，２００ｂを介して、ビデオ信号およびオーディオ信号を受信する。
【００３７】
データ受信部１２２ａは、ソース機器１１０から、ＨＤＭＩ規格のデジタルインタフェースにより、ＨＤＭＩケーブル２００ａを介して、上述の第１のビデオ信号、第１のオーディオ信号を受信する。また、データ受信部１２２ｂは、ソース機器１１０から、ＨＤＭＩ規格のデジタルインタフェースにより、ＨＤＭＩケーブル２００ｂを介して、上述の第２のビデオ信号、第２のオーディオ信号を受信する。上述したように、分割ビデオ信号としての第１のビデオ信号、第２のビデオ信号には、それぞれ、フレーム毎に、連結すべき他の分割ビデオ信号の存在を示す第１の情報、および、この連結すべき他の分割ビデオ信号との同期をとるための第２の情報が付加されている。
【００３８】
フレームバッファ１２４ａは、データ受信部１２２ａで受信された第１のビデオ信号、第１のオーディオ信号を一時的に蓄積する。フレームバッファ１２４ｂは、データ受信部１２２ｂで受信された第２のビデオ信号、第２のオーディオ信号を一時的に蓄積する。フレーム配列処理部１２５は、フレームバッファ１２４ａに保持されている第１のビデオ信号、第１のオーディオ信号と、フレームバッファ１２４ｂに保持されている第２のビデオ信号、第２のオーディオ信号をフレーム配列して合成する。これにより、フレーム配列処理部１２５は、受信ビデオ信号および受信オーディオ信号を生成する。
【００３９】
ここで、制御部１２３は、第１、第２のビデオ信号に付加されている第１の情報（ＶＳＩＦパケットの「DualLink」の１ビット情報）により、各ビデオ信号が結合対象であって、結合処理による受信ビデオ信号の生成が要求されていることを把握する。そして、制御部１２３は、フレーム配列処理部１２５における配列処理を起動させる。
【００４０】
フレーム配列処理部１２５は、第１のビデオ信号、第２のビデオ信号に付加されている第２の情報（タイムコード情報、配列情報）に基づいて、フレーム配列処理を行って、受信ビデオ信号、受信オーディオ信号を生成する。すなわち、フレーム配列処理部１２５は、ＶＳＩＦパケットのタイムコード情報から同じタイムコードを持つ２つのフレームを順次認識し、「Even/Odd」の１ビット情報で示す配列順により配列して、合成された受信ビデオ信号、受信オーディオ信号を得る。
【００４１】
逓倍器１２６は、データ受信部１２２ａあるいはデータ受信部１２２ｂ、この実施の形態においては、データ受信部１２２ｂで受信されたＴＭＤＳクロックを２逓倍してピクセルクロックを生成する。このピクセルクロックは、シンク機器１２０において、受信ビデオ信号、受信オーディオ信号を処理するために使用される。
【００４２】
［データ送信部、データ受信部の構成例］
図３は、図１のＡＶシステム１００における、ソース機器１１０のデータ送信部１１２（１１２ａ，１１２ｂ）と、シンク機器１２０のデータ受信部１２２（１２２ａ，１２２ｂ）の構成例を示している。データ送信部１１２は、有効画像区間（「アクティブビデオ区間」ともいう）において、非圧縮の１画面分のビデオデータに対応する差動信号を、複数のチャネルで、データ受信部１２２に一方向に送信する。
【００４３】
ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくともビデオデータに付随するオーディオデータや制御データ、その他の補助データ等に対応する差動信号を、複数のチャネルで、データ受信部１２２に一方向に送信する。
【００４４】
データ受信部１２２は、アクティブビデオ区間において、複数のチャネルで、データ送信部１２２から一方向に送信されてくる、ビデオデータに対応する差動信号を受信する。また、このデータ受信部１２２は、水平帰線区間または垂直帰線区間において、複数のチャネルで、データ送信部１１２から一方向に送信されてくる、オーディオデータや制御データに対応する差動信号を受信する。
【００４５】
データ送信部１１２とデータ受信部１２２とからなるＨＤＭＩシステムの伝送チャネルには、以下のものがある。まず、伝送チャネルとして、差動信号チャネル（ＴＭＤＳチャネル、ＴＭＤＳクロックチャネル）がある。ビデオデータ等のデジタル信号を伝送するための差動信号チャネルは３チャネルである。
【００４６】
この差動信号チャネルについて説明する。図３に示すように、データ送信部１１２からデータ受信部１２２に対して、ビデオデータおよびオーディオデータを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００４７】
データ送信部１１２のＨＤＭＩトランスミッタ８１は、例えば、非圧縮のビデオデータを対応する差動信号に変換し、３つのＴＭＤＳチャネル＃０，＃１，＃２で、ケーブル２００を介して接続されているデータ受信部１２２に、一方向にシリアル伝送する。また、ＨＤＭＩトランスミッタ８１は、非圧縮のビデオデータに付随するオーディオデータ、必要な制御データその他の補助データ等を、対応する差動信号に変換し、３つのＴＭＤＳチャネル＃０，＃１，＃２で、データ受信部１２２に、一方向にシリアル伝送する。
【００４８】
さらに、ＨＤＭＩトランスミッタ８１は、３つのＴＭＤＳチャネル＃０，＃１，＃２で送信するビデオデータに同期したＴＭＤＳクロックを、ＴＭＤＳクロックチャネルで、データ送信部１２２に送信する。ここで、１つのＴＭＤＳチャネル＃ｉ（ｉ＝０，１，２）では、ＴＭＤＳクロックの１クロックの間に、１０ビットのビデオデータが送信される。
【００４９】
データ受信部１２２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を受信する。この場合、データ送信部１１２からＴＭＤＳクロックチャネルで送信されてくるＴＭＤＳクロックに同期して受信する。
【００５０】
ＨＤＭＩシステムの伝送チャネルには、上述のＴＭＤＳチャネル、ＴＭＤＳクロックチャネルの他に、ＤＤＣ（Display Data Channel）やＣＥＣラインと呼ばれる伝送チャネルがある。ＤＤＣは、ケーブル２００に含まれる図示しない２本の信号線からなる。ＤＤＣは、データ送信部１１２が、データ受信部１２２から、Ｅ−ＥＤＩＤ（Enhanced Extended Display Identification Data）を読み出すために使用される。
【００５１】
すなわち、データ受信部１２２は、ＨＤＭＩレシーバ８２の他に、自身の能力（Configuration/capability）に関する能力情報であるＥ−ＥＤＩＤを記憶している、ＥＤＩＤ  ＲＯＭ(ＥＥＰＲＯＭ)を有している。データ送信部１１２は、例えば、制御部１１３からの要求に応じて、ケーブル２００を介して接続されているデータ受信部１２２から、Ｅ−ＥＤＩＤを、ＤＤＣを介して読み出す。
【００５２】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部１２２の能力の設定を認識できる。例えば、制御部１１３は、データ受信部１２２を有するシンク機器１２０が送信ビデオ信号をフレーム分割して得られた２分割ビデオ信号をそれぞれ独立した伝送路で送信することに対応している否かを、確認できる。つまり、制御部１１３は、シンク機器１２０がデュアルリンク機能を有しているか否かを確認できる。
【００５３】
ＣＥＣラインは、ケーブル２００に含まれる図示しない１本の信号線からなり、データ送信部１１２とデータ受信部１２２との間で、制御用のデータの双方向通信を行うために用いられる。また、ケーブル２００には、ＨＰＤ(Hot Plug Detect)と呼ばれるピンに接続されるライン（ＨＰＤライン）が含まれている。ソース機器は、このＨＰＤラインを利用して、シンク機器の接続を検出することができる。
【００５４】
なお、このＨＰＤラインは双方向通信路を構成するＨＥＡＣ−ラインとしても使用される。また、ケーブル２００には、ソース機器からシンク機器に電源を供給するために用いられる電源ライン（＋５Ｖ Power Line）が含まれている。さらに、ケーブル２００には、ユーティリティラインが含まれている。このユーティリティラインは双方向通信路を構成するＨＥＡＣ＋ラインとしても使用される。
【００５５】
図４は、ＴＭＤＳ伝送データの構造例を示している。この図４は、ＴＭＤＳチャネル＃０〜＃２において、横×縦がＢピクセル×Ａラインの画像データが伝送される場合の、各種の伝送データの区間を示している。ＨＤＭＩのＴＭＤＳチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Islandperiod）、およびコントロール区間（Control period）である。
【００５６】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。このアクティブビデオ区間は、ビデオフィールド区間から、水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００５７】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００５８】
ここで、図５を参照して、レセプタクル１１１（１１１ａ，１１１ｂ）のピンアサイメント（タイプＡ）を説明する。ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。なお、ピン番号が８，５，２のピンは、ＴＭＤＳ  Ｄａｔａ＃ｉ  Ｓｈｉｅｌｄ（ｉ＝０〜２）に割り当てられている。
【００５９】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。なお、ピン番号が１１のピンは、ＴＭＤＳ  Ｃｌｏｃｋ  Ｓｈｉｅｌｄに割り当てられている。
【００６０】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００６１】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００６２】
［ＡＶシステムの動作］
図１に示すＡＶシステム１００の動作を説明する。なお、ソース機器１１０の制御部１１３は、シンク機器１２０がデュアルリンク機能を有しているか否かを、予め確認する。ここで、デュアルリンク機能を有しているか否かとは、送信ビデオ信号をフレーム分割して得られた２分割ビデオ信号をそれぞれ独立した伝送路（ＨＤＭＩインタフェース）で送信することに対応している否かということである。制御部１１３は、その確認後に、以下のデュアルリンク機能に対応した送信動作が行われるように、ソース機器１１０の各部を制御する。
【００６３】
例えば、制御部１１３は、この確認動作を、上述したように、データ送信部１１２（１１２ａ，１１２ｂ）がシンク機器１２０から読み出したＥ−ＥＤＩＤに基づいて確認する。また、例えば、制御部１１３は、シンク機器１２０の制御部１２３との間でＨＤＭＩケーブル２００（２００ａ，２００ｂ）を介して通信を行うことで確認する。この通信は、例えば、上述したＨＰＤライン（ＨＥＡＣ−ライン）およびユーティリティライン（ＨＥＡＣ＋ライン）からなる双方向通信路を用いて行うことができる。また、この通信は、上述のＣＥＣラインを用いて行うことができる。
【００６４】
図６は、ＣＥＣラインでのベンダーコマンドを用いた確認方法の一例を示している。制御部１１３の<Get Device Vendor ID>の送信に対し、その応答として、制御部１２３から<Device Vendor ID> [Vendor ID]が送られてくる。これにより、制御部１１３は、シンク機器１２０の[Vendor ID]を確認できる。また、制御部１１３の<Get CEC Version>の送信に対し、その応答として、制御部１２３から<CEC Version> [1.4a]が送られてくる。これにより、制御部１１３は、シンク機器１２０の[CEC Version]を確認できる。なお、<Get Device VendorID>、<Device Vendor ID> [Vendor ID]、<Get CEC Version>、<CEC Version>[1.4a]の各コマンドについては、他の方法で交換されることもあるため、必ずしも必要ではない。また、<VendorCommand>は<Vendor Command with ID> [Vendor ID]として通信しても構わない。
【００６５】
また、制御部１１３は<Vendor Command> [Inquiry Dual HDMI function]のコマンドを送信して、制御部１２３にデュアルリンク機能に対応しているか否かの回答を要求する。これに対して、制御１２３は、シンク機器１２０がデュアルリンク機能に対応しているときは、<Vendor Command> [answer Dual HDMI function]を送信する。これにより、制御部１１３は、シンク機器１２０が、デュアルリンク機能に対応していることを確認できる。
【００６６】
なお、制御部１２３は、シンク機器１２０がデュアルリンク機能に対応していないときは、<Feature Abort>コマンドにて返答する。勿論、<VendorCommand> [Inquiry Dual HDMI function]のコマンドが制御部１２３で理解されず何の回答がない場合も、制御部１１３は、シンク機器１２０はデュアルリンク機能に対応していないと判断する。以上のシーケンスは現行ＨＤＭＩ規格内で既に定義されているものであり、本シーケンスへの対応実装が規格への追従性を損なうものではない。
【００６７】
以下、図１に示すＡＶシステム１００のデュアルリンク機能に対応した動作を説明する。最初にソース機器１１０の動作を説明する。送信すべきビデオ信号（画像データ）、オーディオ信号（音声データ）はフレーム分割処理部１１４に供給される。このビデオ信号のフォーマットは、４Ｋ×２Ｋ，６０Ｈｚプログレッシブである。フレーム分割処理部１１４では、ビデオ信号（画像データ）、オーディオ信号（音声データ）が、フレーム分割、つまりフレーム単位で奇数フレームと偶数フレームに分割される。
【００６８】
このフレーム分割処理により、奇数フレームからなる第１のビデオ信号およびそれに対応した第１のオーディオ信号と、偶数フレームからなる第２のビデオ信号およびそれに対応した第２のオーディオ信号とが得られる。この場合、第１のビデオ信号および第２のビデオ信号は、４Ｋ×２Ｋ，３０Ｈｚプログレッシブのビデオ信号となり、それぞれ、一本のＨＤＭＩケーブルの伝送帯域で伝送できるものとなる。
【００６９】
フレーム分割処理部１１４で得られる第１のビデオ信号および第１のオーディオ信号は、フレームバッファ１１５ａに一時的に蓄積される。また、フレーム分割処理部１１４で得られる第２のビデオ信号および第２のオーディオ信号は、フレームバッファ１１５ｂに一時的に蓄積される。また、上述の送信すべきビデオ信号に同期したピクセルクロックは、分周器１１６に供給される。分周器１１６では、ピクセルクロックが１／２に分周されてＴＭＤＳクロックが生成される。このＴＭＤＳクロックは、データ送信部１１２ａ，１１２ｂに供給される。
【００７０】
データ送信部１１２ａでは、フレームバッファ１１５ａで保持されている第１のビデオ信号、第１のオーディオ信号を、ＨＤＭＩ規格のデジタルインタフェースにより、ＨＤＭＩケーブル２００ａを介して、シンク機器１２０に送信すること、が行われる。この場合、第１のビデオ信号に、フレーム毎に、連結すべき他の分割ビデオ信号の存在を示す第１の情報、および、この連結すべき他の分割ビデオ信号との同期をとるための第２の情報（タイムコード情報、配列情報）が付加される。
【００７１】
また、データ送信部１１２ｂでは、フレームバッファ１１５ｂで保持されている第２のビデオ信号、第２のオーディオ信号を、ＨＤＭＩ規格のデジタルインタフェースにより、ＨＤＭＩケーブル２００ｂを介して、シンク機器１２０に送信すること、が行われる。この場合、第２のビデオ信号に、フレーム毎に、連結すべき他の分割ビデオ信号の存在を示す第１の情報、および、この連結すべき他の分割ビデオ信号との同期をとるための第２の情報（タイムコード情報、配列情報）が付加される。
【００７２】
次に、シンク機器１２０の動作を説明する。データ受信部１２２ａでは、ソース機器１１０から、ＨＤＭＩ規格のデジタルインタフェースにより、ＨＤＭＩケーブル２００ａを介して、第１のビデオ信号、第１のオーディオ信号を受信すること、が行われる。また、データ受信部１２２ｂでは、ソース機器１１０から、ＨＤＭＩ規格のデジタルインタフェースにより、ＨＤＭＩケーブル２００ｂを介して、第２のビデオ信号、第２のオーディオ信号を受信すること、が行われる。
【００７３】
データ受信部１２２ａで受信された第１のビデオ信号、第１のオーディオ信号は、フレームバッファ１２４ａに一時的に蓄積される。また、データ受信部１２２ｂで受信された第２のビデオ信号、第２のオーディオ信号は、フレームバッファ１２４ｂに一時的に蓄積される。
【００７４】
制御部１２３では、第１、第２のビデオ信号（分割ビデオ信号）に付加されている第１の情報（ＶＳＩＦパケットの「DualLink」の情報）により、これら各ビデオ信号が結合対象であって、結合処理による受信ビデオ信号の生成が要求されていることを把握する。そのため、制御部１２３により、フレーム配列処理部１２５における配列処理が起動される。
【００７５】
フレーム配列処理部１２５では、フレームバッファ１２４ａに保持されている第１のビデオ信号、第１のオーディオ信号と、フレームバッファ１２４ｂに保持されている第２のビデオ信号、第２のオーディオ信号が合成される。これにより、フレーム配列処理部１２５では、受信ビデオ信号および受信オーディオ信号が生成される。この場合、フレーム配列処理部１２５では、ＶＳＩＦパケットのタイムコード情報から同じタイムコードを持つ２つのフレームが順次認識され、ＶＳＩＦパケットの「Even/Odd」の１ビット情報で示す配列順により配列されることで合成される。
【００７６】
また、データ受信部１２２ｂで受信されたＴＭＤＳクロックは、逓倍器１２６に供給される。この逓倍器１２６では、このＴＭＤＳクロックが２逓倍されて、ピクセルクロックが生成される。シンク機器１２０において、受信ビデオ信号、受信オーディオ信号を処理するために使用される。
【００７７】
上述したように、図１に示すＡＶシステム１００においては、ソース機器１１０では、高精細ビデオ信号（４Ｋ×２Ｋ，６０Ｈｚプログレッシブのビデオ信号）が２分割される。そして、各分割ビデオ信号（第１のビデオ信号、第２のビデオ信号）は、それぞれ、別個のＨＤＭＩインタフェースにより、シンク機器１２０に送られる。そのため、一個のＨＤＭＩインタフェースの伝送帯域を超える大きな伝送帯域を必要とする高精細ビデオ信号を、ソース機器１１０からシンク機器１２０に良好に送信できる。
【００７８】
また、その際、各分割ビデオ信号には、フレーム毎に、連結すべき他の分割ビデオ信号の存在を示す第１の情報および連結すべき他の分割ビデオ信号との同期をとるための第２の情報が付加される。そのため、シンク機器１２０において、別個のＨＤＭＩインタフェースで送られてくる各分割ビデオ信号（第１のビデオ信号、第２のビデオ信号）をフレーム配列して受信ビデオ信号を得ることが容易となる。つまり、シンク機器１２０では、別個のＨＤＭＩインタフェースで送られてくる各分割ビデオ信号（第１のビデオ信号、第２のビデオ信号）を連結すべきものとして認識でき、第２の情報に基づいてフレーム配列処理を行って各分割ビデオ信号を適切に合成できる。
【００７９】
また、図１に示すＡＶシステム１００においては、ソース機器１１０は、シンク機器１２０がデュアルリンク機能を有しているか否かを確認する。そして、ソース機器１１０は、その後に、高精細ビデオ信号（４Ｋ×２Ｋ，６０Ｈｚプログレッシブ）を２分割し、各分割ビデオ信号を別個のＨＤＭＩインタフェースを介してシンク機器１２０に送信する動作を行う。そのため、シンク機器１２０がデュアルリンク機能を有していないのに高精細ビデオ信号を分割して２つのＨＤＭＩインタフェースでシンク機器１２０に送信する、ということを事前に回避できる。
【００８０】
なお、上述実施の形態の説明においては、ＶＳＩＦパケットの「DualLink」の１ビット情報が、第１の情報、つまり連結すべき他の分割ビデオ信号の存在を示す情報である旨を説明した。しかし、ＶＳＩＦパケット自体が第１の情報であると考えることもできる。シンク機器１２０の制御部１２３は、ＶＳＩＦパケットが送信されていることを認識することで、連結すべき他の分割ビデオ信号の存在を知ることができる。
【００８１】
＜２．変形例＞
なお、上述実施の形態において、シンク機器１２０は、ＨＤＭＩケーブルを接続するためのポート（レセプタクル）を２個持つものを示した。しかし、３個以上のポートを持つシンク機器も考えられる。
【００８２】
図７は、その場合におけるシンク機器１２０Ａの構成例を示している。この図７において、図１と対応する部分には同一符号を付し、その詳細説明は省略する。このシンク機器１２０Ａは、４個のポート２３１a-1，２３１a-2，２３１a-3，２３１ｂを持っている。ポート２３１ｂは、データ受信部１２２ｂに接続されている。また、ポート２３１a-1，２３１a-2，２３１a-3は、ＨＤＭＩスイッチャ２３２を介して、選択的にデータ受信部１２２ａに接続される。
【００８３】
また、このシンク機器１２０Ａは、切換スイッチ２３３，２３４，２３５，２３６を備えている。切換スイッチ２３３は、フレームバッファ１２４ａに蓄積されているビデオ信号を、フレーム配列処理部１２５または切換スイッチ２３５に選択的に供給する。切換スイッチ２３４は、フレームバッファ１２４ｂに蓄積されているビデオ信号を、フレーム配列処理部１２５または切換スイッチ２３５に選択的に供給する。
【００８４】
また、切換スイッチ２３５は、切換スイッチ２３３、切換スイッチ２３４、またはフレーム配列処理部１２５からのビデオ信号、オーディオ信号を、選択的に、受信ビデオ信号、受信オーディオ信号として出力する。また、切換スイッチ２３６は、データ受信部１２２ａで受信されたＴＭＤＳクロック、データ受信部１２２ｂで受信されたＴＭＤＳクロック、または、逓倍器１２６で２逓倍されて得られたクロックを、選択的に、ピクセルクロックとして出力する。
【００８５】
図７に示すシンク機器１２０Ａにおいて、ポート２３１ｂに接続されたソース機器からのコンテンツを視聴する際は、以下の状態になる。すなわち、ポート２３１ｂに接続されたデータ受信部１２２ｂが選択され、ポート２３１a-1，２３１a-2，２３１a-3に接続されているＨＤＭＩスイッチャ２３２およびデータ受信部１２２ａは非稼働状態になる。
【００８６】
そして、この際、切換スイッチ２３４では切換スイッチ２３５につながるラインが選択され、切換スイッチ２３５では切換スイッチ２３４からのビデオ信号、オーディオ信号が選択される。つまり、データ受信部１２２ｂで受信されたビデオ信号、オーディオ信号が、受信ビデオ信号、受信オーディオ信号として出力される。なお、この場合、切換スイッチ２３６では、データ受信部１２２ｂで受信されたＴＭＤＳクロックがピクセルクロックとして出力される。
【００８７】
また、図７に示すシンク機器１２０Ａにおいて、ポート２３１a-1，２３１a-2，２３１a-3に接続されたソース機器からのコンテンツを視聴する際は、以下の状態になる。すなわち、ポート２３１a-1，２３１a-2，２３１a-3に接続されたＨＤＭＩスイッチャ２３２およびデータ受信部１２２ａが選択され、ポート２３１ｂに接続されているデータ受信部１２２ｂは非稼働状態になる。
【００８８】
そして、この際、切換スイッチ２３３では切換スイッチ２３５につながるラインが選択され、切換スイッチ２３５では切換スイッチ２３３からのビデオ信号、オーディオ信号が選択される。つまり、データ受信部１２２ａで受信されたビデオ信号、オーディオ信号が、受信ビデオ信号、受信オーディオ信号として出力される。なお、この場合、切換スイッチ２３６では、データ受信部１２２ａで受信されたＴＭＤＳクロックがピクセルクロックとして出力される。
【００８９】
このように通常の使用状態では、データ受信部１２２ｂと、ＨＤＭＩスイッチャおよびデータ受信部１２２ａが排他的に選択されて稼働状態となる。
【００９０】
次に、デュアルリンク機能が使われる場合について説明する。この場合、ポート２３１ｂと、ポート２３１a-1，２３１a-2，２３１a-3のうちの接続されている１つのポートがアクティブとなり、それぞれのフレームバッファ１２４ｂ，１２４ａの出力がフレーム配列処理部１２５に接続されるように制御される。つまり、切換スイッチ２３３，２３４は、フレーム配列処理部１２５を選択するように制御される。そして、この場合、切換スイッチ２３５では、フレーム配列処理部１２５で合成して得られた受信ビデオ信号および受信オーディオ信号が出力される。また、切換スイッチ２３６では、逓倍器１２６の出力が選択され、この逓倍器１２６の出力がピクセルクロックとして出力される。
【００９１】
このようにデュアルリンク機能が使われる場合、ポート２３１ｂには、２本のＨＤＭＩケーブルのうちの１本は接続されている必要がある。この際、ポート２３１ｂにソース機器からの２本のＨＤＭＩケーブルの一方が接続されていない場合には、制御部１２３は、例えば、図８に示すようなメッセージ（接続修正表示）を、シンク機器１２０Ａのディスプレイ２４０に表示してもよい。ユーザは、ＨＤＭＩケーブルの接続が誤っていたとき、このメッセージに基づいて、その接続修正を行うことが可能となる。
【００９２】
図９のフローチャートは、その場合における制御部１２３の制御フローの一例を示している。制御部１２３は、ステップＳＴ１において、制御動作を開始する。そして、制御部１２３は、ステップＳＴ２において、データ受信部１２２ｂ、あるいはデータ受信部１２２ａによりＶＳＩＦパケットを受信し、受信ビデオ信号がデュアルリンク機能により処理すべきこと等を認識する。
【００９３】
次に、制御部１２３は、ステップＳＴ３において、ポート１、つまりポート２３１ｂにＨＤＭＩケーブルが接続されているか否かを判別する。接続されているとき、制御部１２３は、ステップＳＴ４において、２つのポートで結合すべき同内容のビデオ信号を受信しているか否かを判別する。受信しているとき、制御部１２３は、ステップＳＴ５において、フレーム配列処理を起動させ、その後に、ステップＳＴ６において、制御動作を終了する。
【００９４】
一方、ステップＳＴ３でポート１、つまりポート２３１ｂにＨＤＭＩケーブルが接続されていないとき、あるいはステップＳＴ４で２つのポートで結合すべき同内容のビデオ信号を受信していないとき、制御部１２３は、ステップＳＴ７の処理に移る。このステップＳＴ７において、制御部１２３は、ディスプレイ２４０に接続修正を促すためのメッセージ（接続修正表示）を行い、その後に、ステップＳＴ６において、制御動作を終了する。
【００９５】
なお、上述したようにソース機器１１０がシンク機器１２０のデュアルリンク機能を確認する際に、その対応するポート番号の内容を含んでもよい。これにより、例えば、ポート１（２３１ｂ）に接続がない場合、ソース機器は、シンク機器への接続がある他のポート、例えばポート２（ポート２３１a-1）に、図８のようなメッセージを表示するビデオ信号を送ることで、ユーザに接続修正を促すこともできる。
【００９６】
図７に示すシンク機器１２０Ａの場合、ポート２３１a-1，２３１a-2，２３１a-3は、ＨＤＭＩスイッチャ２３２を介して、データ受信部１２２ａに選択的に接続される。つまり、データ受信部１２２ａに関しては、３つのポート２３１a-1，２３１a-2，２３１a-3での受信に兼用されるものであり、回路規模を小さくできる。
【００９７】
また、上述実施の形態においては、ソース機器１１０が送信すべきビデオ信号を２分割し、各分割ビデオ信号をそれぞれ別個のＨＤＭＩインタフェース（ＨＤＭＩケーブル）を通じてシンク機器に送信する例を示した。しかし、送信すべきビデオ信号が必要とする伝送帯域によっては、さらに、３つ以上に分割して送信することも考えられる。
【００９８】
また、上述実施の形態においては、ソース機器１１０には、フレームバッファおよびデータ送信部が２つずつ備えるものを示しているが、時間軸で分割駆動することで、１つで実現することも可能である。
【００９９】
また、上述実施の形態においては、送信ビデオ信号が高精細ビデオ信号（４Ｋ×２Ｋ，６０Ｈｚプログレッシブのビデオ信号）である例を示した。しかし、本技術を適用して好適な送信ビデオ信号は、これに限定されるものではなく、その他のフォーマットの高精細ビデオ信号、さらには、立体画像を得るための左眼画像信号、右眼画像信号を含むビデオ信号等も考えられる。すなわち、本技術は、一個の伝送路（ＨＤＭＩインタフェースなど）の伝送帯域を超える大きな伝送帯域を必要とするビデオ信号をソース機器からシンク機器に伝送する場合に有効となる。
【０１００】
また、上述実施の形態において、本技術を、ソース機器およびシンク機器がＨＤＭＩ規格のデジタルインタフェースで接続されるＡＶシステムに適用したものである。しかし、本技術は、これに限定されるものではなく、その他の同様のデジタルインタフェース（有線、無線）で接続されるＡＶシステムにも同様に適用できることは勿論である。
【０１０１】
また、本技術は、以下のような構成をとることもできる。
（１）  送信ビデオ信号をフレーム分割して得られた複数の分割ビデオ信号を得るフレーム分割処理部と、
上記フレーム分割処理部で得られた複数の分割ビデオ信号を、それぞれ、独立した伝送路を介して外部機器に送信するデータ送信部とを備え、
上記データ送信部は、上記分割ビデオ信号を、フレーム毎に、連結すべき他の分割ビデオ信号の存在を示す第１の情報および該連結すべき他の分割ビデオ信号との同期をとるための第２の情報を付加して送信する
送信装置。
（２）上記第２の情報は、タイムコード情報と、該タイムコード情報が示すタイムコードを持つ複数フレームにおける配列順を示す配列情報とからなる
前記（１）に記載の送信装置。
（３）上記データ送信部は、上記分割ビデオ信号を、所定数のチャネルで、差動信号により、上記伝送路を介して、上記外部機器に送信する
前記（１）または（２）に記載の送信装置。
（４）上記データ送信部は、上記フレーム毎の第１の情報および第２の情報を、上記分割ビデオ信号のブランキング期間に挿入して送信する
前記（３）に記載の送信装置。
（５）上記データ送信部は、ＨＤＭＩ規格のデジタルインタフェースを持つ
前記（３）または（４）に記載の送信装置。
（６）上記データ送信部として、第１のデータ送信部および第２のデータ送信部を有し、
上記フレーム分割処理部は、上記送信ビデオ信号を２分割して２つの分割ビデオ信号を得る
前記（１）から（５）のいずれかに記載の送信装置。
（７）上記送信ビデオ信号のフォーマットは、４Ｋ×２Ｋ、６０Ｈｚプログレッシブである
前記（６）に記載の送信装置。
（８）上記送信ビデオ信号をフレーム分割して得られた複数の分割ビデオ信号をそれぞれ独立した伝送路で送信することに上記外部機器が対応しているか否かを確認する機能確認部をさらに備える
前記（１）から（７）のいずれかに記載の送信装置。
（９）上記機能確認部は、上記外部機器が対応しているか否かを、上記外部機器から上記伝送路を介して読み出した上記外部機器の能力情報に基づいて確認する
前記（８）に記載の送信装置。
（１０）上記機能確認部は、上記外部機器が対応しているか否かを、上記外部機器との間で上記伝送路を介した通信を行うことで確認する
前記（８）に記載の送信装置。
（１１）送信ビデオ信号をフレーム分割して得られた複数の分割ビデオ信号を得るフレーム分割処理ステップと、
上記フレーム分割処理ステップで得られた複数の分割ビデオ信号を、それぞれ、独立した伝送路を介して外部機器に送信するデータ送信ステップとを備え、
上記データ送信ステップでは、上記分割ビデオ信号を、フレーム毎に、連結すべき他の分割ビデオ信号の存在を示す第１の情報および該連結すべき他の分割ビデオ信号との同期をとるための第２の情報を付加して送信する
送信方法。
（１２）外部機器から、それぞれ、独立した伝送路を介して、ビデオ信号をフレーム分割して得られた複数の分割ビデオ信号を受信するデータ受信部を備え、
上記分割ビデオ信号には、フレーム毎に、連結すべき他の分割ビデオ信号の存在を示す第１の情報および該連結すべき他の分割ビデオ信号との同期を取るための第２の情報が付加されており、
上記データ受信部で受信された複数の分割ビデオ信号を、上記第１の情報および上記第２の情報に基づいて、フレーム配列して受信ビデオ信号を得るフレーム配列処理部をさらに備える
受信装置。
（１３）上記第２の情報は、タイムコード情報と、該タイムコード情報が示すタイムコードを持つ複数フレームにおける配列順を示す配列情報とからなる
前記（１２）に記載の受信装置。
（１４）上記データ受信部は、上記外部機器から、上記分割ビデオ信号を、所定数のチャネルで、差動信号により、上記伝送路を介して受信する
前記（１２）または（１３）に記載の受信装置。
（１５）上記フレーム毎の第１の情報および第２の情報は、上記分割ビデオ信号のブランキング期間に挿入されている
前記（１４）に記載の受信装置。
（１６）上記データ受信部は、ＨＤＭＩ規格のデジタルインタフェースを持つ
前記（１４）または（１５）に記載の受信装置。
（１７）上記複数の分割ビデオ信号を伝送するための伝送路がそれぞれ接続される複数のポートと、
上記複数のポートのそれぞれに上記複数の分割ビデオ信号を伝送するための伝送路が接続されていないとき、接続修正表示を行う表示制御部とをさらに備える
前記（１２）から（１６）のいずれかに記載の受信装置。
（１８）上記データ受信部として、第１のデータ受信部および第２のデータ受信部を有し、
上記第１のデータ受信部が接続される第１のポートと、
上記第２のデータ受信部がスイッチャを介して選択的に接続される複数の第２のポートとをさらに備える
前記（１２）から（１７）のいずれかに記載の受信装置。
（１９）外部機器から、それぞれ、独立した伝送路を介して、ビデオ信号をフレーム分割して得られた分割ビデオ信号を受信するデータ受信ステップを備え、
上記分割ビデオ信号には、フレーム毎に、連結すべき他の分割ビデオ信号の存在を示す第１の情報および該連結すべき他の分割ビデオ信号との同期を取るための第２の情報が付加されており、
上記データ受信ステップで受信された複数の分割ビデオ信号を、上記第１の情報および上記第２の情報に基づいて、フレーム配列して受信ビデオ信号を得るフレーム配列処理ステップをさらに備える
受信方法。
（２０）送信装置および受信装置が伝送路を介して接続されてなる送受信システムであって、
上記送信装置は、
送信ビデオ信号をフレーム分割して得られた複数の分割ビデオ信号を得るフレーム分割処理部と、
上記フレーム分割処理部で得られた複数の分割ビデオ信号を、それぞれ、独立した伝送路を介して上記受信装置に送信するデータ送信部とを備え、
上記データ送信部は、上記分割ビデオ信号を、フレーム毎に、連結すべき他の分割ビデオ信号の存在を示す第１の情報および該連結すべき他の分割ビデオ信号との同期をとるための第２の情報を付加して送信し、
上記受信装置は、
上記送信装置から、それぞれ、上記独立した伝送路を介して分割ビデオ信号を受信するデータ受信部と、
上記データ受信部で受信された複数の分割ビデオ信号を、上記第１の情報および上記第２の情報に基づいて、フレーム配列して受信ビデオ信号を得るフレーム配列処理部とを備える
送受信システム。
【符号の説明】
【０１０２】
１００・・・ＡＶシステム
１１０・・・ソース機器
１１１ａ，１１１ｂ・・・レセプタクル
１１２ａ，１１２ｂ・・・データ送信部
１１３・・・制御部
１１４・・・フレーム分割処理部
１１５ａ，１１５ｂ・・・フレームバッファ
１１６・・・分周器
１２０，１２０Ａ・・・シンク機器
１２１ａ，１２１ｂ・・・レセプタクル
１２２ａ，１２２ｂ・・・データ受信部
１２３・・・制御部
１２４ａ，１２４ｂ・・・フレームバッファ
１２５・・・フレーム配列処理部
１２６・・・逓倍器
２００ａ，２００ｂ・・・ＨＤＭＩケーブル
２３１ｂ，２３１a-1，２３１a-2，２３１a-3・・・ポート
２３２・・・ＨＤＭＩスイッチャ
２３３〜２３６・・・切換スイッチ
２４０・・・ディスプレイ
【図１】
0005978574.tif 000002
【図２】
0005978574.tif 000003
【図３】
0005978574.tif 000004
【図４】
0005978574.tif 000005
【図５】
0005978574.tif 000006
【図６】
0005978574.tif 000007
【図７】
0005978574.tif 000008
【図８】
0005978574.tif 000009
【図９】
0005978574.tif 000010